(57)【要約】【課題】表紙体を挟持させる作業が簡便且つ円滑に行え、且つ紙葉類を確実に綴じることができる背とじクリップホルダを提供する【解決手段】表表紙１１、裏表紙１２及びこれら両表紙を連接する背部１３からなる表紙体１０と前記背部１３に沿って挿し込まれることにより前記表表紙１１および裏表紙１２を両側から挟持する背とじクリップ２とを具備する背とじクリップホルダ１であって、前記表紙体１０のうち少なくとも一方の表紙が、前記背部１３の近傍領域に前記背部１３側から立ち上がる抜け止め片１４を背部１３に沿って備え、該抜け止め片１４は立ち上がるにつれて幅が狭くなる形状であり、前記背とじクリップ２が前記表紙体１０を挟持した状態で背部１３側に移動する際に前記抜け止め片１４が前記背とじクリップ２と係わり合う。【選択図】図２
2004291276.tif 000002
【特許請求の範囲】
【請求項１】
表表紙、裏表紙及びこれら両表紙を連接する背部からなる表紙体と、
前記背部に沿って挿し込まれることにより前記表表紙および裏表紙を両側から挟持する背とじクリップとを具備する背とじクリップホルダであって、
前記表紙体を構成する両表紙のうち少なくとも一方の表紙が、前記背部の近傍領域に前記背部側から立ち上がる抜け止め片を背部に沿って備え、該抜け止め片は立ち上がるにつれて幅が狭くなる形状であり、前記背とじクリップが前記表紙体を挟持した状態で背部側に移動する際に前記抜け止め片が前記背とじクリップと係わり合うことを特徴とする背とじクリップホルダ。
【請求項２】
前記抜け止め片が部分円弧状であることを特徴とする請求項１に記載の背とじクリップホルダ。
【請求項３】
前記抜け止め片が部分楕円状であることを特徴とする請求項１に記載の背とじクリップホルダ。
【請求項４】
前記抜け止め片が３角形状であることを特徴とする請求項１に記載の背とじクリップホルダ。
【請求項５】
前記抜け止め片が台形状であることを特徴とする請求項１に記載の背とじクリップホルダ。
【請求項６】
表表紙、裏表紙及びこれら両表紙を連接する背部からなる表紙体と、
前記背部に沿って挿し込まれることにより前記表表紙および裏表紙を両側から挟持する背とじクリップとを具備する背とじクリップホルダであって、
前記表表紙および裏表紙が、前記背部の近傍領域に前記背部側から立ち上がる抜け止め片を備え、該抜け止め片が前記表表紙および前記裏表紙をそれぞれ向き合わせた状態において背とじクリップの挿し込み方向に位相が異なることを特徴とする背とじクリップホルダ。
【請求項７】
前記表表紙および裏表紙が前記抜け止め片を備え、該抜け止め片が前記表表紙および前記裏表紙をそれぞれ向き合わせた状態において背とじクリップの挿し込み方向に位相が異なることを特徴とする請求項１〜５のいずれかに記載の背とじクリップホルダ。
【請求項８】
前記抜け止め片が、前記背部に平行な折目から当該抜け止め片の立ち上がり角度を大きくする方向に１つ以上の折り片を有することを特徴とする請求項１〜７のいずれかに記載の背とじクリップホルダ。
【請求項９】
前記抜け止め片を前記表紙体から切り起こすことにより設けることを特徴とする請求項１〜８のいずれかに記載の背とじクリップホルダ。
【請求項１０】
前記表紙体がポリエチレンテレフタレートからなることを特徴とする請求項９に記載の背とじクリップホルダ。
【請求項１１】
前記抜け止め片が前記表紙体とは別体の部材から設けることを特徴とする請求項１〜８のいずれかに記載の背とじクリップホルダ。
【請求項１２】
前記表紙体がポリプロピレンからなることを特徴とする請求項１１に記載の背とじクリップホルダ。
【請求項１３】
前記表紙体のうち少なくとも一方の表紙が、前記背部の近傍領域に前記背部側から立ち上がる抜け止め片を背部に沿って２箇所以上備えることを特徴とする請求項１〜１２のいずれかに記載の背とじクリップホルダ。
【発明の詳細な説明】
【０００１】
【発明の属する技術分野】
本発明は、紙葉類を綴じる作業が簡便かつ円滑に行え、併せて確実に綴じることができる背とじクリップホルダに関する。
【０００２】
【従来の技術】
従来より、表表紙と裏表紙と背部とで構成する表紙体に、数枚の紙葉類を綴じ込むための背とじクリップを当該背部に備える背とじクリップホルダが広く利用されるに至っている。この種の背とじクリップホルダにあっては、表紙体に対し背部に沿ってスライドさせることによって嵌め合わされ、逆の操作によって表紙体から分離されるもので、それに伴って表紙体に挟み込んだ紙葉類を綴じ込み、またその綴じ込みを解除することができるようになっている（たとえば特許文献１）。
【０００３】
【特許文献１】
特開平９−１５０５９４号公報
【０００４】
【発明が解決しようとする課題】
しかしながら、特許文献１のようなものでは、背とじクリップを表紙体に挟持させる際のスライド作業時に表紙体の背部に沿ってうまくスライドさせなければ表紙体を挟持させることができず、スライドさせる方向が少しでも背部から離れる方向へずれると、その方向のまま背とじクリップをスライドし続けることとなり、表紙体から背とじクリップが抜け落ちてしまうという問題がある。また、紙葉類を綴じた後でも、その紙葉類の内容を閲覧するために使用者が表紙体を最大に開いた際、背とじクリップが表紙体の背部方向に摺動してしまい、表紙体からはずれてしまうという問題もある。さらに、この問題は綴じようとする紙葉類が多くなると、より起こりやすくなる。
【０００５】
本発明は、このような不都合に着目して作出されたものであり、その目的は、背とじクリップに表紙体を挟持させる作業が簡便且つ円滑に行え、且つ紙葉類を確実に綴じることができる背とじクリップホルダを提供することである。
【０００６】
【課題を解決するための手段】
前記目的を達成するために本発明は、表表紙、裏表紙及びこれら両表紙を連接する背部からなる表紙体と、前記背部に沿って挿し込まれることにより前記表表紙および裏表紙を両側から挟持する背とじクリップとを具備する背とじクリップホルダであって、前記表紙体を構成する両表紙のうち少なくとも一方の表紙が、前記背部の近傍領域に前記背部側から立ち上がる抜け止め片を背部に沿って備え、該抜け止め片は立ち上がるにつれて背部に沿った方向の幅が狭くなる形状であり、前記背とじクリップが前記表紙体を挟持した状態で背部側に移動する際に前記抜け止め片が前記背とじクリップと係わり合うという構成としている。
【０００７】
このような構成によれば、前記背とじクリップは、該背とじクリップを前記表紙体にスライドさせつつ挟持させる作業を行う過程において、前記背とじクリップの端部が前記抜け止め片の端部に係わり合う際、前記背とじクリップは立ち上がるにつれて幅が狭くなる形状であるため、前記背とじクリップの端部を前記表紙体の開放部側へ移動させる作用力、すなわち、前記背とじクリップが前記表紙体をより深く呑み込んで挟持する作用が働く。このため、前記背とじクリップをスライドさせる方向が操作初期段階で前記背部に徐々に近づく方向にあっても前記表紙体の背部から前記背とじクリップが抜け落ちることを回避することができる。その後、前記背とじクリップの引き続くスライド挿入の際、前記背とじクリップに挟持されてゆく前記抜け止め片が前記背とじクリップの挟持部の内側と係わり合うことにより、前記背とじクリップが前記表紙体の背部側から抜け落ちることを回避することができる。また、前記表紙体を最大に開いた際、前記背とじクリップが前記表紙体の背部方向に摺動する方向に力が働くが、このようにして背とじクリップを表紙体に挿し通しておけば、前記抜け止め片の先端部分が前記背とじクリップの内側に係わり合うため、前記表紙体に対して、前記開放部側から背部側方向への移動を制限され、前記背とじクリップが前記表紙体の背部から抜け落ちることを回避することができる。
【０００８】
具体的な抜け止め片の形態は、前記表紙体の背部側から開放方向にかけて幅が狭くなる形状であれば、前記した作用及び効果を奏するので、前記抜け止め片の形状を、部分円や部分楕円、３角形や台形とすることも可能である。何れの形態にするかは、抜け止め機能や加工のし易さ等の観点から定めればよいが、外観に及ぼす影響も考慮した選択も可能になる。かかる抜け止め片は、単に技術的な効果のみならず、製品としての意匠的な効果も奏するからである。
【０００９】
また本発明は、表表紙、裏表紙及びこれら両表紙を連接する背部からなる表紙体と、前記背部に沿って挿し込まれることにより前記表表紙および裏表紙を両側から挟持する背とじクリップとを具備する背とじクリップホルダであって、前記表表紙および裏表紙が、前記背部の近傍領域に前記背部側から立ち上がる抜け止め片を備え、該抜け止め片が前記表表紙および前記裏表紙をそれぞれ向き合わせた状態において背とじクリップの挿し込み方向に位相が異なるという構成としている。
【００１０】
このような構成によれば、前記背とじクリップを前記表紙体にスライドさせつつ挟持させる作業を行う際、表表紙と裏表紙に設けられた抜け止め片が、背とじクリップに交互に係わり合い、同時に係わり合い始めることがないため、前記作業時に抵抗を感じさせることなく円滑にスライドさせることができる。また、抜け止め片に力が加わった状態、特に背部方向に摺動する力が加わった状態において、力のかかる位置の位相も異なるため、結果として前記抜け止め片を前記表表紙および前記裏表紙に同相に設けた場合に比して、前記表紙体の強度を弱めることなく抜け止め片を設けることができる。
【００１１】
また本発明に係る背とじクリップホルダは、抜け止め片が、前記背部の長手方向に対して平行に設けた１つ以上の折り片を有する構成としている。こうすることにより抜け止め片が折り片の位置から角度をつけて外側へ立ち上がることとなるため、表紙体に紙葉類を挿入する際に抜け止め片が誤って表表紙の内側にある紙葉類に引っかかることを防止するとともに、抜け止め片が背とじクリップに対しより好適に係わり合うことができる。
【００１２】
さらに、本発明に係る背とじクリップホルダでは、抜け止め片は表紙体から切り起こすことにより設けることも、前記表紙体とは別の部材から設けることも可能である。例えば、表紙体の材質がポリエチレンテレフタレートのような比較的強度の高い素材を用いる場合は、抜け止め片を表紙体から切り起こすことにより設け、表紙体の材質がポリプロピレンのような柔軟な素材である場合には、抜け止め片を前記表紙体とは別の部材から設けるといった、素材の特性に応じた製造方法をとることができ、様々な素材を用いて本実施形態に係る背とじクリップホルダを生産することが可能である。
【００１３】
加えて、本発明に係る背とじクリップホルダは、前記表紙体のうち少なくとも一方の表紙が、前記背部の近傍領域に前記背部側から立ち上がる抜け止め片を背部に沿って２箇所以上備えることが望ましい。こうすることにより、前記抜け止め片は少なくとも一方の表紙の複数箇所において、前記背とじクリップの端部を前記表紙体の開放部側へ移動させる作用力を奏する。そのため、背とじクリップを表紙体に挟持させる際のスライド作業のはじめから終わりにかけて、少なくとも複数回にわたり前記した作用力を奏し、より確実に背とじクリップが表紙体を挟持することができる。また、少なくとも一方の表紙の複数箇所において前記抜け止め片の先端部分が前記背とじクリップの内側に係わり合うため、前記表紙体に対して、少なくとも一方の表紙の複数箇所において前記開放部側から背部側方向への移動を制限され、前記背とじクリップが前記表紙体の背部から抜け落ちることをより効果的に回避することができる。
【００１４】
【発明の実施の形態】
以下、本発明の一実施の形態について図面を参照して説明する。
【００１５】
図１は本実施形態に係る背とじクリップホルダ１を示した斜視図である。背とじクリップホルダ１は、図１のように、表表紙１１、裏表紙１２及びこれら両表紙を連接する背部１３からなる表紙体１０と、背部１３に沿って挿し込まれて表表紙１１および裏表紙１２を両側から挟持する背とじクリップ２とから構成され、表表紙１１および裏表紙１２には、表紙体１０を開いた際にて挟持した紙葉類（図示せず）を見やすいように表表紙ヒンジ１６および裏表紙ヒンジ１７をそれぞれ設けている。表表紙１１および裏表紙１２の背部近傍領域には、背部１３側から立ち上がる抜け止め片１４を備えている。
【００１６】
本実施形態において表紙体１０を構成する表表紙１１及び裏表紙１２の大きさは、例えば、Ａ４サイズやＢ５サイズなどの綴じようとする紙葉類の大きさに適宜合わせて設定されている。これら表表紙１１、裏表紙１２及び背部１３は、１枚のシートを２つの折り目で折り曲げることによって形成される。シートの素材には、ポリエチレンテレフタレートを用いている。このような一定以上強度のある素材を用いれば、抜け止め片１４を表紙体１０から切り起こして設けることが可能である。
【００１７】
抜け止め片１４は、その形状が表紙体１０の背部１３側に設けられた基端部１４１から開放部側の先端部１４２にかけて背部１３に沿った方向の幅が狭くなる部分円形状をなしており、基端部１４１から先端部１４２にかけての角度は直角よりも小さい角度で表表紙１１および裏表紙１２から立ち上がるようになっている。基端部１４１の位置は背部１３と表表紙１１又は裏表紙１２との境界である折り目に設けられ、先端部１４２の位置は背とじクリップ２が表紙体１０に接する箇所よりも若干背部１３側に設けられている。よって、基端部１４１から先端部１４２にかけての長さは背部１３から背とじクリップ２が表紙体１０に接する箇所間の長さ（これは背とじクリップ２の呑み込み寸法に対応している）よりも若干短かい長さに設定されている。また、本実施例において、抜け止め片１４は抜け止め片１４の幅の４分の１程度の間隔を隔てながら、背部１３に沿ってそれぞれ表表紙１１および裏表紙１２のほぼ等間隔に５箇所に設けられている。また、抜け止め片１４は表表紙１１および裏表紙１２をそれぞれ向き合わせた状態において、抜け止め片１４の幅の３分の１程度の間隔で位相が異なるように設けられている。
【００１８】
表紙体１０のうち、背とじクリップ２に挟持される位置ないしそれよりもやや開放部側の位置には、表表紙ヒンジ１６および裏表紙ヒンジ１７がそれぞれ設けられている。表表紙ヒンジ１６および裏表紙ヒンジ１７は、綴じた紙葉類を閲覧し易いように設けられたものであり、折り目やミシン目のような、繰り返し折り曲げ易い加工が施されている。表表紙ヒンジ１６および裏表紙ヒンジ１７は背とじクリップ２が表紙体１０を挟持した際に表紙体１０を挟持する箇所よりも開放部側であれば設置可能である。なお、紙葉類を保存目的のみで綴じる場合や繰り返し閲覧することを目的としない場合においては、表表紙ヒンジ１６および裏表紙ヒンジ１７を設けない場合も考えられる。
【００１９】
背とじクリップ２はその長さが背部１３の長手方向と略一致しており、断面形状は切断部を１カ所有する中空パイプ状であり、該切断部が表紙体１０を挟持する挟持部２２となっている。挟持部２２から該挟持部２２に対面する背とじクリップ２の内方端までの距離（つまり呑み込み寸法）は、前述の寸法関係から、表紙体１０の背部１３から表表紙ヒンジ１６または裏表紙ヒンジ１７間での距離と同等ないしそれよりも若干短めとなる。また、背とじクリップ２の長手方向の端部は、挟持部２２を有する側の角に設定した切り込み部分２１に沿って斜め方向に切除された形状となっており、その切り込み部分２１に沿って挟持部２２を構成する両辺の距離が徐々に短くなり、挟持部２２において両辺が接するようになっている。この背とじクリップ２の何れかの端部に設けた切り込み部分２１よりこの背とじクリップ２を表紙体１０の背部１３側に挿し込み、背部１３に沿ってこの背とじクリップ２をスライドさせることにより、表紙体１０の表表紙１１及び裏表紙１２を簡易に挟むことができる。なお、切り込み部分２１は背とじクリップ２の一端側にのみ設けておいてもよい。
【００２０】
本実施形態に係る背とじクリップホルダ１は、背とじクリップ２の一方の端部にある切り込み部分２１から表紙体１０に、その背部１３を内包するように差し込み、表紙体１０の背部１３に沿って背とじクリップ２をスライドさせることにより表表紙１１および裏表紙１２を両側から挟持する構造となっている。ここで抜け止め片１４の形状が、抜け止め片１４の基部１４１から端部１４２にかけて幅が狭くなる部分円であり、基端部１４１から先端部１４２にかけて直角よりも小さい角度で立ち上がるようになっているため、背とじクリップ２をスライドさせる際、背とじクリップ２の端部が抜け止め片１４に接すると、背とじクリップ２の端部を表紙体１０の開放部側へ移動させる作用力、すなわち、背とじクリップ２が表紙体１０をより深く呑み込んで挟持する作用が働く。このため、背とじクリップ２をスライドさせる方向が背部１３に徐々に近づく方向であっても、前記表紙体１０の背部１３から前記背とじクリップ２が抜け落ちることを回避することができる。また、その後、背とじクリップ２の引き続くスライド挿入の際、背とじクリップ２に挟持されてゆく抜け止め片１４が背とじクリップ２の挟持部２２の内側と係わり合うことにより、背とじクリップ２が表紙体１０の背部１３側から抜け落ちることを各所において回避することができる。そして、この間、表表紙１１および裏表紙１２に設けられた抜け止め片１４は互いに位相を異ならせて設けているため、背とじクリップ２をスライドさせる際には表表紙１１にある抜け止め片１４と裏表紙にある抜け止め片１４が背とじクリップ２に交互に関わり合い、同時に係わり合い始めることがないため、使用者は抵抗を感じることなく背とじクリップ２を好適にスライドさせることができる。また、抜け止め片１４に力が加わった状態、特に背部方向に摺動する力が加わった状態において、力のかかる位置の位相も異なるため、結果として抜け止め片１４を表表紙１１および裏表紙１２に同相に設けた場合に比して、表紙体１０の強度を弱めることなく多数箇所に抜け止め片１４を設けることができる。加えて、本実施形態に係る背とじクリップホルダ１は、表表紙１１及び裏表紙１２が抜け止め片１４をそれぞれほぼ等間隔に５箇所備えている。こうすることにより、抜け止め片１４は、計１０箇所において、背とじクリップ２を表紙体１０の開放部側へ保持する作用力を増大させる。そのため、背とじクリップ２を表紙体１０に挟持させる際のスライド作業のはじめから終わりにかけて、より確実に背とじクリップ２に表紙体１０を挟持させることができる。そして、挿入後は、抜け止め片１４の先端部分１４２が背とじクリップ２の内側に係わり合った状態を維持して背とじクリップ２が表紙体１０の背部１３から抜け落ちることを防止するという所期の効果を引き続き奏することができる。
【００２１】
具体的には、図２のように、背とじクリップ２が表紙体１０および紙葉類３１を挟持した状態において、表紙体１０の背部１３は背とじクリップ２の内方端に略接した状態であり、背部１３の位置と同じ位置に抜け止め片１４の基端部１４１があり、該基端部１４１から抜け止め片１４が立ち上がり、抜け止め片１４の先端部１４２は背とじクリップ２の挟持部２２の内側付近と接することにより、背とじクリップ２と係わり合う。また、表表紙ヒンジ１６及び裏表紙ヒンジ１７はこの状態において、挟持部２２が表紙体１０に接する箇所よりも若干開放部側に設けられている。前述の通り、該ヒンジを設けた箇所よりも開放部側にある部分が紙葉類３１を最大に開いた際に背とじクリップ２に接するか若しくは接しない位置に表表紙ヒンジ１６及び裏表紙ヒンジ１７が設定されている。
【００２２】
なお、本実施形態は、以上に示した以外にも、種々変形が可能である。
【００２３】
本発明に係る背とじクリップホルダにおいて、抜け止め片の具体的な形態は、表紙体の背部側にある基部から開放方向にある端部にかけて背部に沿った方向の幅が狭くなる形状であれば、上記実施形態と同様の作用・効果を奏することができる。たとえば、図３〜５のように、抜け止め片の形状を部分楕円形にした抜け止め片１４３とすること（図３）や３角形とした抜け止め片１４４（図４）、さらには台形とした抜け止め片１４５（図５）であっても、上記実施形態と同様の効果を奏することができる。何れの形態にするかは、抜け止め機能や加工のし易さ等の観点から定めればよいが、外観に及ぼす影響も考慮した選択も可能になる。かかる抜け止め片は、単に技術的な効果のみならず、製品としての意匠的な効果も奏するからである。
【００２４】
さらに、本発明に係る背とじクリップホルダ１は、図６（Ａ）および図６（Ｂ）のように、背部の長手方向に対して平行に設けた折り片１４６ａを有する抜け止め片１４６を設ける構成としてもよい。こうすることにより抜け止め片１４６が折り片１４６ａの位置から、さらに角度をつけて立ち上がることとなるため、抜け止め片１４６が背とじクリップに対し、より好適に係わり合うことができる。
【００２５】
本発明に係る背とじクリップホルダでは、ポリエチレンテレフタレートのような、表紙体の材料として比較的強度の高い素材を用い、抜け止め片を表紙体から切り起こして設けることが可能である。一方、本実施形態の変形例として、ポリプロピレンのように、材料として柔軟な素材を用いる場合であっても、図７のように、材質として比較的強度の高い素材を用い抜け止め片１４７を設けた、表紙体とは別体の部材１５を、表紙体の背部に接着することにより抜け止め片１４７を設けることも可能である。こうすることにより、表紙体の材料として様々な素材を用いて背とじクリップホルダを生産することが可能である。
【００２６】
以上のように、本発明に係る背とじクリップホルダ１は、表表紙１１、裏表紙１２及びこれら両表紙を連接する背部１３からなる表紙体１０と、背部１３に挿し込まれて表表紙１１および裏表紙１２を両側から挟持する背とじクリップ２を具備する背とじクリップホルダ１であって、表紙体１０を構成する両表紙のうち少なくとも一方の表紙が、背部１３の近傍領域に背部１３側から立ち上がる抜け止め片１４を備え、該抜け止め片１４の形状は表紙体１０の背部１３側から開放方向にかけて背部１３に沿った方向の幅が狭くなる形状をなしており、背とじクリップ２が表紙体１０を挟持する際に抜け止め片１４が背とじクリップ２と係わり合うという構成としている。
【００２７】
このような構成によれば、背とじクリップ２は、該背とじクリップ２を表紙体１０にスライドさせつつ挟持させる作業を行う過程において、背とじクリップ２の端部が抜け止め片１４の端部に係わり合う際、背とじクリップ２は立ち上がるにつれて背部に沿った方向の幅が狭くなる形状であるため、背とじクリップ２の端部を表紙体１０の開放部側へ移動させる作用力、すなわち、背とじクリップ２が表紙体１０をより深く呑み込んで挟持する作用が働く。このため、初期操作時に背とじクリップ２をスライドさせる方向が操作初期段階で背部１３に徐々に近づく方向にあっても表紙体１０の背部から背とじクリップ２が抜け落ちることを回避することができる。その後、背とじクリップ２の引き続くスライド挿入の際、背とじクリップ２に挟持されてゆく抜け止め片１４が背とじクリップ２の挟持部２２の内側と係わり合うことにより、背とじクリップ２が表紙体１０の背部１３側から抜け落ちることを各所において回避することができる。また、表紙体１０を最大に開いた際、背とじクリップ２が表紙体１０の背部１３方向に摺動する方向に力が働くが、前記ようにして背とじクリップ２を表紙体１０に挿し通しておけば、抜け止め片１４の先端部分が背とじクリップ２の内側に係わり合うため、表紙体１０に対して、前記開放部側から背部１３側方向への移動を制限され、背とじクリップ２が表紙体１０の背部１３から抜け落ちることを回避することができる。
【００２８】
また、本発明に係る背とじクリップホルダ１は、表表紙１１および裏表紙１２が、背部１３の近傍領域に背部１３側から立ち上がる抜け止め片１４を備え、該抜け止め片１４が表表紙１１および裏表紙１２をそれぞれ向き合わせた状態において位相が異なるという構成としている。
【００２９】
このような構成によれば、背とじクリップ２を表紙体１０にスライドさせつつ挟持させる作業を行う際、表表紙１１と裏表紙１２に設けられた抜け止め片１４が、背とじクリップ２に交互に係わり合い、同時に係わり合い始めることがないため、前記作業時に抵抗を感じさせることなく円滑にスライドさせることができる。また、抜け止め片１４に力が加わった状態において、力のかかる位置の位相も異なるため、結果として抜け止め片１４を表表紙１１および裏表紙１２に同相に設けた場合に比して、表紙体１０の強度を弱めることなく多数箇所に抜け止め片１４を設けることができる。
【００３０】
抜け止め片の具体的な形状は、部分円形である抜け止め片１４の他にも、形状を部分楕円形にした抜け止め片１４３とすること（図３）や３角形とした抜け止め片１４４（図４）、さらには台形とした抜け止め片１４５（図５）など、表紙体の背部側から開放方向にかけて背部に沿った方向の幅が狭くなる形状であれば、本実施形態と同様の効果を奏することができる。何れの形態にするかは、抜け止め機能や加工のし易さ等の観点から定めればよいが、外観に及ぼす影響も考慮した選択も可能になる。かかる抜け止め片は、単に技術的な効果のみならず、製品としての意匠的な効果も奏するからである。
【００３１】
また、本発明に係る背とじクリップホルダでは、背部の長手方向に平行な折り目から立ち上がり角度を大きくする方向に向かって抜け止め片１４６に折り片１４６ａを設ける構成（図６（Ａ）および図６（Ｂ））としてもよい。こうすることにより抜け止め片１４６が折り片の位置からさらに角度をつけて立ち上がることとなるため、表紙体に紙葉類を挿入する際に抜け止め片が誤って紙葉類に引っかかることを防止するとともに、抜け止め片１４６が背とじクリップ２に対しより好適に係わり合うことができる。
【００３２】
さらに、上記実施形態に係る背とじクリップホルダでは、抜け止め片は表紙体から切り起こすことにより設けたが、表紙体とは別体の部材１５から設けることも可能である（図７）。すなわち、上記実施形態のように、表紙体の材質がポリエチレンテレフタレートのような比較的強度の高い素材を用いる場合は、抜け止め片を表紙体から切り起こすことにより設けることができるが、表紙体の材質がポリプロピレンのような柔軟な素材を用いる場合には、強度不足になるため、抜け止め片１４７を表紙体とは別体の部材１５から設けこれを取り付けることによって、表紙体の柔軟性を損なうことなく抜け止め片の機能を実効あるものにすることが可能となる。このように素材の特性に応じた製造方法をとることができ、様々な素材を用いて本実施形態に係る背とじクリップホルダを生産することが可能である。
【００３３】
加えて、本発明に係る背とじクリップホルダは、基本的には抜け止め片の数は特に限定されるものではなく、例えば長尺なものを１箇所にのみ設けておくようなこともできるが、このような抜け止め片を背部に沿って間欠位置に２箇所以上備えておくのがよい。こうすることにより、抜け止め片１４は少なくとも一方の表紙の複数箇所において、背とじクリップ２の端部を表紙体１０の開放部側へ保持する作用力を大きな抵抗を伴わずに増大させることができる。そのため、背とじクリップを表紙体に挟持させる際のスライド作業のはじめから終わりにかけて、少なくとも複数回にわたり前記した作用力を奏し、より確実に背とじクリップに表紙体を挟持させることができる。そして、挿入後は、抜け止め片１４の先端部分１４２が背とじクリップ２の内側に係わり合った状態を維持して背とじクリップ２が表紙体１０の背部１３から抜け落ちることを防止するという所期の効果を引き続き奏することができる。
【００３４】
【発明の効果】
本発明によれば、背とじクリップを表紙体にスライドさせつつ挟持させる作業の際、前記背とじクリップが前記表紙体の背部から抜け落ちることを回避することができる。また、前記表紙体を最大に開いての紙葉類の閲覧時に、前記表紙体から前記背とじクリップが不意に滑り落ちることを回避することにより綴じられた前記紙葉類の抜け落ちをより確実に回避することができる。
【００３５】
また、本発明によれば、背とじクリップを表紙体にスライドさせつつ挟持させる作業を行う際、表表紙と裏表紙に設けられた抜け止め片が、背とじクリップに交互に係わり合い、同時に係わり合い始めることがないため、作業時に抵抗を感じさせることなく円滑にスライドさせることができる。また、前記抜け止め片に力が加わった状態において、該力のかかる位置の位相も異なるため、結果として前記抜け止め片を前記表表紙および裏表紙に同相に設けた場合に比して、前記表紙体の強度を弱めることなく前記抜け止め片を設けることができる。
【図面の簡単な説明】
【図１】本実施形態に係る背とじクリップホルダの全体斜視図。
【図２】同実施形態の要部拡大断面図。
【図３】本実施形態の変形例に係る抜け止め片の部分拡大斜視図。
【図４】本実施形態の変形例に係る抜け止め片の部分拡大斜視図。
【図５】本実施形態の変形例に係る抜け止め片の部分拡大斜視図。
【図６】本実施形態の変形例に係る抜け止め片の部分拡大図。
【図７】本実施形態の変形例に係る抜け止め片の全体斜視図。
【符号の説明】
１  …背とじクリップホルダ
２  …背とじクリップ
１０…表紙体
１１…表表紙
１２…裏表紙
１３…背部
１４、１４３、１４４、１４５、１４６、１４７…抜け止め片
１４１…基端部
１４２…先端部
１４６ａ…折り片
１５…別体の部材
【図１】
2004291276.tif 000003
【図２】
2004291276.tif 000004
【図３】
2004291276.tif 000005
【図４】
2004291276.tif 000006
【図５】
2004291276.tif 000007
【図６】
2004291276.tif 000008
【図７】
2004291276.tif 000009